(57)【特許請求の範囲】
【請求項１】
位置、及び有効期限が予め設定されており該位置に設けられた施設に関するコンテンツを複数記憶し、移動する通信装置に対して前記コンテンツを送信するコンテンツ送信装置であって、
前記通信装置の現在位置と、該現在位置に対して所定時間前の位置と、現在の時刻とに基づいて、該通信装置の移動速度、及び該通信装置の進行方向前方の領域である前方領域を算出する算出部と、
算出された前記前方領域に含まれる位置に対応する前記コンテンツのそれぞれに設定された前記有効期限、及び算出された前記移動速度に基づいて、該有効期限及び該移動速度に応じた前記コンテンツを前記通信装置に送信するコンテンツ送信部と
を備え、
前記算出部は、前記現在の時刻が夜の時間帯に属する場合には、昼の時間帯で算出する前方領域よりも大きな前方領域を算出することを特徴とするコンテンツ送信装置。
【請求項２】
位置、及び有効期限が予め設定されており該位置に設けられた施設に関するコンテンツを複数記憶し、移動する通信装置に対して前記コンテンツを送信するコンテンツ送信装置であって、
前記通信装置に設けられた加速度センサにより前記通信装置が３次元方向に移動していることが検出された場合に、前記通信装置の現在位置と該現在位置に対して所定時間前の位置とに基づいて、３次元方向における、該通信装置の移動速度、及び該通信装置の進行方向前方の領域である前方領域を算出する算出部と、
算出された前記前方領域に含まれる位置に対応する前記コンテンツのそれぞれに設定された前記有効期限、及び算出された前記移動速度に基づいて、該有効期限及び該移動速度に応じた前記コンテンツを前記通信装置に送信するコンテンツ送信部と
を備えることを特徴とするコンテンツ送信装置。
【請求項３】
前記コンテンツ送信部は、
算出された前記前方領域に含まれる位置に対応する前記コンテンツのそれぞれに設定された前記有効期限、及び算出された前記移動速度に基づいて、該コンテンツのそれぞれの中から、該有効期限内に前記通信装置が到着すると予測される位置である到着予測位置又はその手前の位置に対応する前記コンテンツを到着予測位置関係コンテンツとして前記通信装置に送信することを特徴とする請求項１又は２に記載のコンテンツ送信装置。
【請求項４】
前記コンテンツ送信部は、
算出された前記移動速度が所定速度以上である場合には、前記到着予測位置が属する地域全体に密接な広領域情報である前記到着予測位置関係コンテンツを前記通信装置に送信し、前記移動速度が所定速度以上でない場合には、前記広領域よりも細かな領域内の情報である前記到着予測位置関係コンテンツを前記通信装置に送信することを特徴とする請求項３に記載のコンテンツ送信装置。
【請求項５】
前記算出部は、前記通信装置の前記現在位置が所定地域に属した回数である地域位置関係回数の値又は該通信装置の該現在位置が該所定地域に属していた時間である地域滞在時間の値を含む地域関係情報を該現在位置毎に計数するものであり、
前記コンテンツ送信部は、前記到着予測位置に対応する前記地域関係情報に基づいて、該地域関係情報に含まれる値が所定値以上である場合にのみ、前記到着予測位置に対応する前記到着予測位置関係コンテンツを前記通信装置に送信することを特徴とする請求項３に記載のコンテンツ送信装置。
【請求項６】
前記コンテンツは、商品又はサービスの内容に関するクーポンを含み、
前記地域関係情報は、前記クーポンが施設で利用された回数であるクーポン利用回数の値を含み、
前記コンテンツ送信部は、前記到着予測位置に対応する前記地域関係情報に基づいて、該地域関係情報に含まれる前記地域位置関係回数の値又は前記地域滞在時間の値、及び前記クーポン利用回数の値が所定値以上である場合にのみ、前記到着予測位置に対応する前記到着予測位置関係コンテンツを前記通信装置に送信することを特徴とする請求項５に記載のコンテンツ送信装置。
【請求項７】
位置、及び有効期限が予め設定されており該位置に設けられた施設に関するコンテンツを複数記憶するコンテンツ送信装置からいずれかの前記コンテンツを受信する通信装置であって、
前記通信装置の現在位置と、該現在位置に対して所定時間前の位置と、現在の時刻とに基づいて、該通信装置の移動速度、及び該通信装置の進行方向前方の領域である前方領域を算出する算出部と、
算出された前記前方領域に含まれる位置に対応する前記コンテンツのそれぞれに設定された前記有効期限、及び算出された前記移動速度に基づいて、該有効期限及び該移動速度に応じた前記コンテンツを前記コンテンツ送信装置から受信するコンテンツ受信部と
を備え、
前記算出部は、前記現在の時刻が夜の時間帯に属する場合には、昼の時間帯で算出する前方領域よりも大きな前方領域を算出することを特徴とする通信装置。
【請求項８】
位置、及び有効期限が予め設定されており該位置に設けられた施設に関するコンテンツを複数記憶するコンテンツ送信装置からいずれかの前記コンテンツを受信する通信装置であって、
加速度センサと、
前記加速度センサにより前記通信装置が３次元方向に移動していることが検出された場合に、前記通信装置の現在位置と該現在位置に対して所定時間前の位置とに基づいて、３次元方向における、該通信装置の移動速度、及び該通信装置の進行方向前方の領域である前方領域を算出する算出部と、
算出された前記前方領域に含まれる位置に対応する前記コンテンツのそれぞれに設定された前記有効期限、及び算出された前記移動速度に基づいて、該有効期限及び該移動速度に応じた前記コンテンツを前記コンテンツ送信装置から受信するコンテンツ受信部と
を備えることを特徴とする通信装置。
【請求項９】
前記コンテンツ受信部は、
算出された前記前方領域に含まれる位置に対応する前記コンテンツのそれぞれに設定された前記有効期限、及び算出された前記移動速度に基づいて、該コンテンツのそれぞれの中から、該有効期限内に前記通信装置が到着すると予測される位置である到着予測位置又はその手前の位置に対応する前記コンテンツを到着予測位置関係コンテンツとして前記コンテンツ送信装置から受信することを特徴とする請求項７又は８に記載の通信装置。
【請求項１０】
前記コンテンツ受信部は、
算出された前記移動速度が所定速度以上である場合には、前記到着予測位置が属する地域全体に密接な広領域情報である前記到着予測位置関係コンテンツを前記コンテンツ送信装置から受信し、前記移動速度が所定速度以上でない場合には、前記広領域よりも細かな領域内の情報である前記到着予測位置関係コンテンツを前記コンテンツ送信装置から受信することを特徴とする請求項９に記載の通信装置。
【請求項１１】
前記コンテンツ送信装置は、前記通信装置の前記現在位置が所定地域に属した回数である地域位置関係回数の値又は該通信装置の該現在位置が該所定地域に属していた時間である地域滞在時間の値を含む地域関係情報を該現在位置毎に計数するものであり、
前記コンテンツ受信部は、前記到着予測位置に対応する前記地域関係情報に基づいて、該地域関係情報に含まれる値が所定値以上である場合にのみ、前記到着予測位置に対応する前記到着予測位置関係コンテンツを前記コンテンツ送信装置から受信することを特徴とする請求項９に記載の通信装置。
【請求項１２】
前記コンテンツは、商品又はサービスの内容に関するクーポンを含み、
前記地域関係情報は、前記クーポンが施設で利用された回数であるクーポン利用回数の値を含み、
前記コンテンツ受信部は、前記到着予測位置に対応する前記地域関係情報に基づいて、該地域関係情報に含まれる前記地域位置関係回数の値又は前記地域滞在時間の値、及び前記クーポン利用回数の値が所定値以上である場合にのみ、前記到着予測位置に対応する前記到着予測位置関係コンテンツを前記コンテンツ送信装置から受信することを特徴とする請求項１１に記載の通信装置。
【請求項１３】
位置、及び有効期限が予め設定されており該位置に設けられた施設に関するコンテンツを複数記憶し、移動する通信装置に対して前記コンテンツを送信するコンテンツ送信装置を用いたコンテンツ送信方法であって、
前記通信装置の現在位置と、該現在位置に対して所定時間前の位置と、現在の時刻とに基づいて、該通信装置の移動速度、及び該通信装置の進行方向前方の領域である前方領域を算出するステップと、
算出された前記前方領域に含まれる位置に対応する前記コンテンツのそれぞれに設定された前記有効期限、及び算出された前記移動速度に基づいて、該有効期限及び該移動速度に応じた前記コンテンツを前記通信装置に送信するステップと
を備え、
前記算出するステップでは、前記現在の時刻が夜の時間帯に属する場合には、昼の時間帯で算出する前方領域よりも大きな前方領域を算出することを特徴とするコンテンツ送信方法。
【請求項１４】
位置、及び有効期限が予め設定されており該位置に設けられた施設に関するコンテンツを複数記憶し、移動する通信装置に対して前記コンテンツを送信するコンテンツ送信装置を用いたコンテンツ送信方法であって、
前記通信装置に設けられた加速度センサにより前記通信装置が３次元方向に移動していることが検出された場合に、前記通信装置の現在位置と該現在位置に対して所定時間前の位置とに基づいて、３次元方向における、該通信装置の移動速度、及び該通信装置の進行方向前方の領域である前方領域を算出するステップと、
算出された前記前方領域に含まれる位置に対応する前記コンテンツのそれぞれに設定された前記有効期限、及び算出された前記移動速度に基づいて、該有効期限及び該移動速度に応じた前記コンテンツを前記通信装置に送信するステップと
を備えることを特徴とするコンテンツ送信方法。
【発明の詳細な説明】
【技術分野】
【０００１】
本発明は、施設に関するコンテンツを通信装置に送信するコンテンツ送信装置、通信装置及びコンテンツ送信方法に関する。
【背景技術】
【０００２】
従来から、施設に関するコンテンツを通信装置（例えば、通信機能付のカーナビゲーションシステム、携帯電話機）に送信するコンテンツ送信装置が提案されている（例えば、特許文献１、特許文献２参照）。
【０００３】
例えば、上記コンテンツ送信装置は、上記通信装置に対して車両の進行方向前方の領域である前方領域内の店舗、遊技場等の施設に関するコンテンツを送信する。これにより、コンテンツ送信装置は、通信装置を介して車両の前方領域における飲食店や、遊技場（ゲームセンター、パチンコ店など）などの施設に関する情報を、車両の運転手又は同乗者に即座に知らせることができる。
【０００４】
特に、上記コンテンツ送信装置は、車両の“前方領域”内の施設に関するコンテンツを通信装置に送信する。その一方でコンテンツ送信装置は、車両の“後方領域”内の施設に関するコンテンツを通信装置に送信しない。これにより、上記コンテンツ送信装置は、これから車両が通過しようとする位置に設けられた施設に関するコンテンツを通信装置に送信することができる。このため、上記コンテンツ送信装置は、車両の進行方向に応じて運転手等にとって有益なコンテンツを通信装置に送信することができる。
【特許文献１】特開２００１−２３８３６６号公報
【特許文献２】特開２００５−１６５３７８号公報
【発明の開示】
【発明が解決しようとする課題】
【０００５】
しかしながら、上記コンテンツ送信装置は、車両の“前方領域”内の施設に関するコンテンツを、その“有効期限（例えば、コンテンツに含まれるクーポンの有効期限など）”を考慮して通信装置に送信していないため、運転手等が利用し難いコンテンツを通信装置に送信する場合があった。
【０００６】
例えば、車両が高速道路において１００ｋｍ／ｈなどの高速度で走行している場合には、当該車両の運転手は、その周辺領域（例えば、東京周辺）ではなく当該周辺領域から遠方となる領域（例えば、静岡；以下、遠方領域）を目標にして運転しており、当該周辺地域には立ち寄らない場合がある。
【０００７】
この場合にコンテンツ送信装置が、当該車両の周辺領域内の施設に関するコンテンツであり、且つ有効期限が短時間（例えば、１０分）のコンテンツを通信装置に送信しても、車両の運転手は、当該周辺地域には立ち寄る予定が無く、しかも当該コンテンツの有効期限が短時間であるため、当該コンテンツは、短時間で運転手等にとって無用なコンテンツとなる。
【０００８】
そこで、本発明は以上の点に鑑みてなされたものであり、移動する通信装置の前方領域内に設けられた施設に関するコンテンツのそれぞれの中から、コンテンツの有効期限を考慮して通信装置の運転手等にとって有益なコンテンツを送信することができるコンテンツ送信装置、通信装置及びコンテンツ送信方法を提供することを目的とする。
【課題を解決するための手段】
【０００９】
本発明の第１の特徴は、位置、及び有効期限が予め設定されており位置に設けられた施設に関するコンテンツを複数記憶し、移動する通信装置に対してコンテンツを送信するコンテンツ送信装置であって、通信装置の現在位置と現在位置に対して所定時間前の位置に基づいて、通信装置の移動速度、及び通信装置の進行方向前方の領域である前方領域を算出する算出部と、算出された前方領域に含まれる位置に対応するコンテンツのそれぞれに設定された有効期限、及び算出された移動速度に基づいて、有効期限及び移動速度に応じたコンテンツを通信装置に送信するコンテンツ送信部とを備えることを要旨とする。
【００１０】
かかる特徴によれば、コンテンツ送信装置は、通信装置の前方領域内に設けられた施設に関するコンテンツのそれぞれに設定された有効期限、及び通信装置の移動速度に基づいて、当該移動速度のみならずに「有効期限」も考慮してコンテンツを選択し、当該コンテンツを通信装置に送信する。
【００１１】
これにより、コンテンツ送信装置は、有効期限が直ぐに経過するコンテンツなどの通信装置の利用者にとって利用し難いコンテンツを通信装置２００に送信することなく、通信装置の進行方向に応じて利用者にとって有益なコンテンツを通信装置に送信することができる。
【００１２】
本発明の第２の特徴は、コンテンツ送信部が、算出された前方領域に含まれる位置に対応するコンテンツのそれぞれに設定された有効期限、及び算出された移動速度に基づいて、コンテンツのそれぞれの中から、有効期限内に通信装置が到着すると予測される位置である到着予測位置に対応するコンテンツを到着予測位置関係コンテンツとして通信装置に送信することを要旨とする。
【００１３】
本発明の第３の特徴は、コンテンツ送信部が、算出された移動速度が所定速度以上である場合には、到着予測位置が属する地域全体に密接な広領域情報である到着予測位置関係コンテンツを通信装置に送信し、移動速度が所定速度以上でない場合には、広領域よりも細かな領域内の情報である到着予測位置関係コンテンツを通信装置に送信することを要旨とする。
【００１４】
本発明の第４の特徴は、算出部が、通信装置の現在位置が所定地域に属した回数である地域位置関係回数の値又は通信装置の現在位置が所定地域に属していた時間である地域滞在時間の値を含む地域関係情報を現在位置毎に計数するものであり、コンテンツ送信部が、到着予測位置に対応する地域関係情報に基づいて、地域関係情報に含まれる値が所定値以上である場合にのみ、到着予測位置に対応する到着予測位置関係コンテンツを通信装置に送信することを要旨とする。
【００１５】
本発明の第５の特徴は、コンテンツが、商品又はサービスの内容に関するクーポンを含み、地域関係情報が、クーポンが施設で利用された回数であるクーポン利用回数の値を含み、コンテンツ送信部が、到着予測位置に対応する地域関係情報に基づいて、地域関係情報に含まれる地域位置関係回数の値又は地域滞在時間の値、及びクーポン利用回数の値が所定値以上である場合にのみ、到着予測位置に対応する到着予測位置関係コンテンツを通信装置に送信することを要旨とする。
【発明の効果】
【００１６】
本発明の特徴によれば、移動する通信装置の前方領域内に設けられた施設に関するコンテンツのそれぞれの中から、コンテンツの有効期限を考慮して運転手等にとって有益なコンテンツを送信することができる。
【発明を実施するための最良の形態】
【００１７】
［第１実施形態］
（コンテンツ送信システムの構成）
図１は、本実施形態におけるコンテンツ送信システム１の概略構成図である。図１に示すように、コンテンツ送信システム１は、移動体１００と、通信装置２００と、コンテンツ送信装置３００と、基地局４００と、ネットワーク５００とを備えている。
【００１８】
移動体１００は、例えば車又は人である。通信装置２００は、基地局４００及びネットワーク５００を介してコンテンツ送信装置３００からコンテンツを受信するものである。通信装置２００は、例えば通信機能付のカーナビゲーションシステム、携帯電話機、ＰＤＡ（Personal Digital Assistance）等である。
【００１９】
なお、本実施形態における通信装置２００は、移動体１００である車に設けられてるが、これに限定されずに、自転車に備えられてもよいし、人により所持されてもよいのは勿論のことである。
【００２０】
基地局４００は、通信装置２００とコンテンツ送信装置３００との間で送受信される情報を中継するものである。
【００２１】
コンテンツ送信装置３００は、基地局４００及びネットワーク５００を介して、通信装置２００の進行方向前方の領域である前方領域Ｒに含まれる位置に対応するコンテンツ（例えば、地域１、地域２又は地域３に属する位置に対応するコンテンツなど）のそれぞれのうちのいずれかを通信装置２００に送信するものである。このコンテンツの内容の詳細及びコンテンツが通信装置２００に送信されるまでの詳細については後述で説明する。
【００２２】
次に、本実施形態における通信装置２００及びコンテンツ送信装置３００の内部構成について説明する。図２（ａ）は本実施形態における通信装置２００の内部構成図であり、図２（ｂ）は本実施形態におけるコンテンツ送信装置３００の内部構成図である。
【００２３】
図２（ａ）に示すように、通信装置２００は、操作部２０１と、現在位置検出部２０３と、通信部２０５と、表示部２０７と、取得済コンテンツ記憶部２０９と、通信制御部２１０とを備えている。
【００２４】
操作部２０１は、文字、記号又は数字の入力操作や、取得済コンテンツ記憶部２０９に記憶されたコンテンツを表示させるための入力操作などを受け付けるものである。
【００２５】
現在位置検出部２０３は、通信装置２００の現在位置を検出するものである。例えば、現在位置検出部２０３は、ＧＰＳ（Global Positioning System）により構成されている。  通信部２０５は、基地局４００と無線通信により情報の送受信を実行するものである。例えば、通信部２０５は、現在位置検出部２０３により検出された現在位置を基地局４００に送信したり、又は基地局４００から送信されたコンテンツを受信したりする。
【００２６】
表示部２０７は、取得済コンテンツ記憶部２０９に記憶されたコンテンツの内容などを表示するものである。通信制御部２１０は、通信装置２００の全体を制御するものである。
【００２７】
図２（ｂ）に示すコンテンツ送信装置３００は、通信部３１０と、コンテンツ記憶部３３０と、操作部３５０と、コンテンツ送信制御部３７０とを備えている。
【００２８】
通信部３１０は、ネットワーク５００を介して基地局４００と通信を実行するものである。コンテンツ記憶部３３０は、位置、及び予め有効期限が設定されており該位置に設けられた施設に関するコンテンツを複数記憶するものである。位置は、経度及び緯度により構成される座標位置などである。施設は、店舗（例えば、飲食店、百貨店、本屋など）、遊技場（例えば、ゲームセンター、パチンコ店、パチスロ店など）を含んでいる。
【００２９】
ここで、図３は、コンテンツ記憶部３３０に記憶される位置及びコンテンツの内容を示す図である。図３に示すように、位置（位置１−１，位置１−２，…）のそれぞれには、該位置に設けられた施設に関するコンテンツが対応付けられている。
【００３０】
コンテンツは、商品又はサービスの内容に関する情報であるクーポン（例えば、商品又はサービスの料金の割引率の情報、商品の無料配布の情報）、施設でタイムサービスが行われる情報を含んでいる。当該コンテンツには、コンテンツの有効期限（例えば、クーポンの有効期限、施設で行われるタイムサービスの有効期限など）が予め設定されている。
【００３１】
なお、コンテンツは、位置に対応する地理的なキーワード、例えば、当該位置が神奈川県に属する場合には「神奈川新聞」、「横浜」、「みなとみらい」などのキーワード、当該位置が新宿区に属する場合には「新宿」、「歌舞伎町」などのキーワードにより分類されてもよい。
【００３２】
本実施形態におけるコンテンツ記憶部３３０は、通信部３１０により受信されたコンテンツを記憶したり、操作部３５０により入力されたコンテンツを記憶したり、又はＣＤ−ＲＯＭ等の媒体に記憶されたコンテンツを記憶したりする。
【００３３】
コンテンツ送信制御部３７０は、移動速度算出部３７１と、前方領域算出部３７３と、コンテンツ選択部３７５とを備えている。
【００３４】
移動速度算出部３７１は、現在位置検出部２０３により検出された通信装置２００の現在位置とその現在位置に対して所定時間前の位置（以下、前位置）に基づいて、通信装置２００の移動速度を算出するものである。
【００３５】
前方領域算出部３７３は、現在位置検出部２０３により検出された通信装置２００の現在位置とその現在位置に対して所定時間前の前位置に基づいて、通信装置２００の進行方向前方の領域である前方領域Ｒを算出するものである。
【００３６】
コンテンツ選択部３７５は、移動速度算出部３７１により算出された移動速度、前方領域算出部３７３により算出された前方領域Ｒに含まれる位置に対応するコンテンツのそれぞれに設定された有効期限に基づいて、当該コンテンツのそれぞれの中から、該有効期限及び該移動速度に応じたコンテンツを選択するものである。
【００３７】
上記通信部３１０は、基地局４００及びネットワーク５００を介して、通信装置２００の現在位置の送信元の通信装置２００に対してコンテンツ選択部３７５により選択されたコンテンツを送信する。なお、コンテンツ送信部は、コンテンツ送信制御部３７０及び通信部３１０により構成される。
【００３８】
（コンテンツ送信システムの動作）
次に、本実施形態におけるコンテンツ送信システム１の動作（コンテンツ送信方法）について図４を参照しながら説明する。
【００３９】
図４に示すように、Ｓ１０１において、通信装置２００は、当該通信装置２００の現在位置を検出する。
【００４０】
Ｓ１０３において、通信装置２００は、基地局４００及びネットワーク５００を介して、検出した通信装置２００の現在位置をコンテンツ送信装置３００に送信する。
【００４１】
Ｓ１０５において、コンテンツ送信装置３００は、受信した通信装置２００の現在位置と該現在位置に対して所定時間前の前位置とに基づいて、通信装置２００の移動速度を算出する。
【００４２】
例えば、コンテンツ送信装置３００は、通信装置２００の現在位置及び通信装置２００が現在位置を送信した時点である現在位置送信時点と、通信装置２００の現在位置よりも所定時間前の前位置及び通信装置２００が前位置を送信した時点である前位置送信時点とに基づいて、上記現在位置と上記前位置との差分である距離、及び上記現在位置送信時点と上記前位置送信時点との差分である時間を用いて通信装置２００の移動速度を算出する。
【００４３】
Ｓ１０７において、コンテンツ送信装置３００は、通信装置２００の現在位置及び該現在位置よりも所定時間前の前位置とに基づいて、通信装置２００の進行方向前方の前方領域Ｒを算出する。
【００４４】
例えば、コンテンツ送信装置３００は、通信装置２００の現在位置及び該現在位置よりも所定時間前の前位置の位置関係により、通信装置２００の進行方向を算出する。コンテンツ送信装置３００は、算出した進行方向前方の各地域（例えば、図１に示す地域１、地域２及び地域３）により構成される前方地域Ｒを算出する。
【００４５】
Ｓ１０９において、コンテンツ送信装置３００は、図３に示すテーブルを参照し、算出した前方領域Ｒに含まれる位置に対応するコンテンツのそれぞれに設定された有効期限、及び算出した移動速度に基づいて、当該前方領域Ｒに含まれる位置に対応するコンテンツのそれぞれの中から、当該有効期限及び当該移動速度に応じたコンテンツを選択する。この選択例については後述で詳細に説明する。
【００４６】
Ｓ１１１において、コンテンツ送信装置３００は、基地局４００及びネットワーク５００を介して、上記現在位置の送信元の通信装置２００に対して選択後のコンテンツを送信する。
【００４７】
Ｓ１１３において、通信装置２００は、コンテンツ送信装置３００により送信されたコンテンツを受信し、当該コンテンツを表示又は記憶する。
【００４８】
上述したＳ１０９におけるコンテンツ送信装置３００は、以下の選択例によりコンテンツを選択することができる。
【００４９】
＜選択例１＞
本選択例１では、先ずコンテンツ送信装置３００は、算出した前方領域Ｒに含まれる位置に対応するコンテンツ（図３参照）のそれぞれの中から、同一の有効期限が設定されたコンテンツを選択し、その同一の有効期限、及び算出した移動速度を用いて、該同一の有効期限内に通信装置２００が到着すると予測される位置（＝［移動速度］×［上記現在位置送信時点から有効期限に達する時点までの時間である利用可能時間］など）である到着予測位置を算出する。コンテンツ送信装置３００は、図３に示すテーブルを参照し、上記同一の有効期限が設定されたコンテンツのそれぞれの中から、算出した到着予測位置に対応するコンテンツを到着予測位置関係コンテンツとして選択する。
【００５０】
例えば、前方領域Ｒが地域１、地域２及び地域３(図１参照）であり、通信装置２００の移動速度が５０ｋｍ／ｈであり、通信装置２００の現在位置が位置１−１であり、上記現在位置送信時点が２００５年８月１２日午前９時であり、地域１、地域２及び地域３に含まれる位置（位置１−１，１−２，…，２−１，２−２，…，３−１，３−２，…）に対応する各コンテンツの有効期限が便宜上「全て同一の」２００５年８月１２日午後１時である場合について考える。
【００５１】
この場合には、上記現在位置送信時点（２００５年８月１２日午前９時）から上記各コンテンツの有効期限（２００５年８月１２日午後１時）までの時間である利用可能時間が４時間であるため、コンテンツ送信装置３００は、上記利用可能時間（４時間）及び上記移動速度（５０ｋｍ／ｈ）を乗算して距離（２００ｋｍ）を算出し、上記現在位置（位置１−１）から当該距離（２００ｋｍ）の位置である上記到着予測位置（例えば、位置３−１）を算出する。コンテンツ送信装置３００は、図３に示すテーブルを参照し、上記同一の有効期限が設定されたコンテンツのそれぞれの中から、算出した到着予測位置（例えば、位置３−１）又はその手前の位置に対応するコンテンツを到着予測位置関係コンテンツとして選択する。
【００５２】
＜選択例２＞  
本選択例２では、コンテンツ送信装置３００は、上記選択例１のように算出した上記到着予測位置を用いて該当するコンテンツを選択するのではなく、予め設定されたテーブルを用いて該当するコンテンツ（後述する図５参照）を選択する。以下、本選択例２について詳細に説明する。
【００５３】
図５は、移動速度と利用可能時間と距離との対応関係を示すテーブルである。先ず、コンテンツ送信装置３００は、図５に示すテーブルを参照し、算出した移動速度（例えば、１００ｋｍ／ｈ）に基づいて、該移動速度（例えば、１００ｋｍ／ｈ）に対応する利用可能時間（例えば、５時間）及び距離（例えば、２０ｋｍ；上記到着予測位置に対応）を決定する。
【００５４】
コンテンツ送信装置３００は、算出した前方領域Ｒに含まれる位置に対応するコンテンツのそれぞれの中から、上記現在位置送信時点から当該利用可能時間（例えば、５時間）以上の有効期限が設定されたコンテンツであり、且つ通信装置２００の現在位置から上記距離（例えば、２０ｋｍ）の位置（又はその手前の位置）に対応するコンテンツを到着予測位置関係コンテンツとして選択する。
【００５５】
かかる本実施形態の特徴によれば、コンテンツ送信装置３００は、通信装置２００の前方領域Ｒ内に設けられた施設に関するコンテンツのそれぞれに設定された有効期限、及び通信装置２００の移動速度に基づいて、当該移動速度のみならずに「有効期限」も考慮してコンテンツを選択し、当該コンテンツを通信装置２００に送信する。
【００５６】
これにより、コンテンツ送信装置３００は、有効期限が直ぐに経過するコンテンツなどの通信装置２００の利用者（車両の運転手又は同乗者、通信装置２００を所持する利用者など）にとって利用され難いコンテンツを通信装置２００に送信することなく、通信装置２００の進行方向に応じて利用者にとって有益なコンテンツを通信装置２００に送信することができる。
【００５７】
特に、コンテンツ送信装置３００は、算出した通信装置２００の移動速度、及び算出した前方領域Ｒに含まれる位置に対応するコンテンツのそれぞれに設定された有効期限を用いて、当該コンテンツのそれぞれの中から、当該有効期限内に通信装置２００が到着すると予測される位置（又はその手前の位置）に設けられた施設に関するコンテンツを選択し（上記選択例１又は上記選択例２参照）、該コンテンツを通信装置２００に送信する。このため、コンテンツ送信装置３００は、通信装置２００の利用者が行動し得る領域内の位置に対応するコンテンツを送信することができるため、通信装置２００の進行方向に応じて利用者にとってより有益なコンテンツを通信装置２００に送信することができる。
【００５８】
また、コンテンツ送信装置３００は、通信装置２００の進行方向とは逆方向の領域に関するコンテンツを通信装置２００に送信しないため、上記利用者は、通信装置２００の進行方向に関係ないコンテンツの見る手間を省くことができる。
【００５９】
なお、コンテンツ送信装置３００は、通信装置２００の移動速度に応じて、上記前方領域Ｒの大きさを変更してもよい。例えば、コンテンツ送信装置３００は、通信装置２００の移動速度が大きくなるにつれて、通信装置２００の進行方向に沿う前方領域Ｒの長さを徐々に大きくする。
【００６０】
このため、コンテンツ送信装置３００は、通信装置２００が高速度で移動している場合には、通信装置２００の進行方向に沿う前方領域Ｒの長さが長くなるため、コンテンツの有効期限を考慮して、通信装置２００の現在位置から「より遠方」となる位置に対応するコンテンツを通信装置２００に送信することができる。
【００６１】
なお、コンテンツ送信装置３００は、現在の時刻に応じて前方領域Ｒの大きさを変更してもよい。例えば、コンテンツ送信装置３００は、現在の時刻が夜の時間帯に属する場合には、昼の時間帯で算出する前方領域Ｒよりも大きな前方領域Ｒを算出する。
【００６２】
ここで、夜の時間帯における道路状況が昼の時間帯に比べて混雑していないことが多く、夜の時間帯の方が昼の時間帯に比べて車の移動距離が長くなることがある。このため、通信装置２００の利用者は、通信装置２００の現在位置よりもできるだけ遠方となるコンテンツを参照したい場合がある。
【００６３】
ここではコンテンツ送信装置３００は、現在の時刻が夜の時間帯に属する場合には、昼の時間帯で算出する前方領域Ｒよりも大きな前方領域Ｒを算出することにより、コンテンツの有効期限を考慮して、夜の時間帯については通信装置２００の現在位置から「より遠方」となる位置に対応するコンテンツも通信装置２００に送信することができるため、通信装置の利用者にとってより有益なコンテンツを送信することができる。
【００６４】
なお、コンテンツ送信装置３００は、「２次元方向」の通信装置２００の移動速度又は前方領域Ｒを用いることに限定されずに、「３次元方向」の通信装置２００の移動速度又は前方領域Ｒを用いてもよい。なお、通信装置２００は、加速度センサ（図示せず）を用いることにより「３次元方向」に移動していることを検出することができる。
【００６５】
例えば、通信装置２００の利用者が、高層ビルに設けられたエレベータで１Ｆから屋上に移動している場合（利用者が「３次元方向」に移動している場合）には、コンテンツ送信装置３００は、通信装置２００が１Ｆから上方へ移動している移動速度と、通信装置２００の現在の階数（現在位置）と、高層ビル内にある各施設に関するコンテンツの有効期限とに応じて該当するコンテンツを通信装置２００に送信する。
【００６６】
（変更例）
なお、本発明は、上記実施形態に限定されずに下記に示す変更を加えることができる。図６は、本変更例におけるコンテンツ送信システム２の概略構成図である。図６に示すように、コンテンツ送信システム２は、コンテンツ送信装置６００と、基地局７００と、ネットワーク８００と、移動体９００と、通信装置１０００とを備えている。なお、コンテンツ送信装置６００以外の具体的構成については第１実施形態と同様であるため、詳細な説明は省略する。
【００６７】
本変更例におけるコンテンツ送信装置６００は、算出した移動速度が第１基準速度（所定速度）以上である場合には、上記到着予測位置（上記選択例１及び上記選択例２参照）が属する地域全体に密接な広領域情報である上記到着予測位置関係コンテンツを通信装置１０００に送信する。一方、コンテンツ送信装置６００は、移動速度が第１基準速度以上でない場合には、上記広領域よりも細かな領域内の情報（後述する中領域情報、狭領域情報）である上記到着予測位置関係コンテンツを通信装置１０００に送信する。
【００６８】
ここで、図７は、コンテンツ送信装置６００に記憶される位置及びコンテンツの内容を示す図である。図７に示すように、コンテンツは、該コンテンツに対応する位置を含む狭領域の情報である狭領域情報、該狭領域よりも広い領域の情報である中領域情報、該中領域よりも広い領域の情報である広領域情報を含んでいる。なお、本実施形態では、コンテンツには、狭領域情報、中領域情報及び広領域情報の３種類の情報が含まれているが、これに限定されずに、それらのいずれか２種類又は４種類以上の情報が含まれてもよいのは勿論である。
【００６９】
図７に示す狭領域情報には、例えば、狭領域に存在する店舗に陳列された商品の割引に関する情報、店舗のタイムサービスに関する情報などが含まれている。上記中領域情報には、例えば、中領域に存在する駅周辺に設けられた施設名に関する情報などが含まれている。上記広領域情報には、広領域全体に密接な情報（広領域の天気情報等の大雑把な情報）などが含まれている。
【００７０】
例えば、コンテンツ送信装置６００により算出された上記到着予測位置（上記選択例１及び上記選択例２参照）が位置３−１であり、算出された通信装置１０００の移動速度が１００ｋｍ／ｈであり、予め設定された第１基準速度が８０ｋｍ／ｈである場合について考える。
【００７１】
この場合には、通信装置１０００の移動速度（１００ｋｍ／ｈ）が第１基準速度（８０ｋｍ／ｈ）以上であるため、コンテンツ送信装置６００は、上記到着予測位置（位置３−１）に対応する広領域情報（図７に示す地域３情報）を含むコンテンツを上記到着予測位置関係コンテンツとして通信装置１０００に送信する。
【００７２】
同様にして、コンテンツ送信装置６００により算出された上記到着予測位置が位置２−１であり、算出された通信装置１０００の移動速度が５０ｋｍ／ｈであり、予め設定された１基準速度が８０ｋｍ／ｈであり、第２基準速度が５０ｋｍ／ｈである場合について考える。
【００７３】
この場合には、通信装置１０００の移動速度（５０ｋｍ／ｈ）が第１基準速度（８０ｋｍ／ｈ）以上ではなく、第１基準速度未満であり第２基準速度以上であるため、コンテンツ送信装置６００は、上記到着予測位置（位置２−１）に対応する中領域情報（例えば、２−１商店のクーポン）を含むコンテンツを上記到着予測位置関係コンテンツとして通信装置１０００に送信する。
【００７４】
なお、通信装置１０００の移動速度が第２基準速度未満である場合には、コンテンツ送信装置６００は、上記到着予測位置（例えば、位置１−１）に対応する狭領域情報（例えば、１−１商店のクーポン）を含むコンテンツを上記到着予測位置関係コンテンツとして通信装置１０００に送信する。
【００７５】
ここで、通信装置１０００の利用者は、現在の移動速度が低速度である場合には、現在位置から遠方となる遠方領域よりも周辺領域に立ち寄ることがある。この場合には、通信装置１０００の利用者は、直ぐに立ち寄れる店舗などの情報（上記狭領域情報）を欲することがある。
【００７６】
その一方で、通信装置１０００の利用者は、現在の移動速度が高速度である場合には、通信装置１０００の周辺領域よりも遠方領域に立ち寄ることがある。この場合には、通信装置１０００の利用者は、直ぐに遠方領域には立ち寄れないため、当該遠方領域における天気などの大雑把な情報（上記広領域情報）を欲することがある。
【００７７】
上述のように本変更例では、コンテンツ送信装置６００は、通信装置１０００（移動体９００）の移動速度が低速度から高速度になるに従って、コンテンツの内容を狭領域に関する細かな狭領域情報から広領域全体に関する大雑把な広領域情報に順次変更してそれを通信装置１０００に送信する。これにより、コンテンツ送信装置６００は、通信装置１０００の進行方向に応じて利用者にとってより有益なコンテンツを送信することができる。
【００７８】
［第２実施形態］
図８は、本実施形態におけるコンテンツ送信装置１１００の内部構成図である。上記第１実施形態及び変更例における上記コンテンツ送信装置３００，６００は、上記到着予測位置（又はその手前の位置）に対応するコンテンツを上記到着予測位置関係コンテンツとして通信装置に一義的に送信している。これに対し、本実施形態におけるコンテンツ送信装置１１００は、通信装置の現在位置が所定地域に属した回数、通信装置の現在位置が所定地域に属していた時間、又はクーポンが施設で利用された回数に応じて、上記到着予測位置（又はその手前の位置）に対応するコンテンツを上記到着予測位置関係コンテンツとして送信している点で相違する。
【００７９】
なお、本実施形態におけるコンテンツ送信装置１１００は、上述の通り上記コンテンツ送信装置３００，６００に替えて用いられるものである。コンテンツ送信装置１１００以外の具体的構成については第１実施形態と同様であるため、詳細な説明は省略する。
【００８０】
図８に示すように、コンテンツ送信装置１１００は、通信部１１１０と、コンテンツ記憶部１１３０と、操作部１１５０と、コンテンツ送信制御部１１７０とを備えている。コンテンツ送信制御部１１７０は、移動速度算出部１１７１と、前方領域算出部１１７２と、地域関係情報算出部１１７３と、コンテンツ選択部１１７４とを備えている。なお、地域関係情報算出部１１７３及びコンテンツ選択部１１７４以外の部については第１実施形態と同様であるため、詳細な説明は省略する。
【００８１】
地域関係情報算出部１１７３は、通信装置１２００の現在位置が所定地域に属した回数である地域位置関係回数の値、通信装置１２００の現在位置が所定地域に属していた時間である地域滞在時間の値、又はクーポンが施設で利用された回数であるクーポン利用回数の値を含む地域関係情報（図９参照）を該現在位置毎に計数するものである。この地域関係情報は、コンテンツ記憶部１１３０に記憶される。
【００８２】
コンテンツ選択部１１７４は、上記到着予測位置（上記選択例１及び上記選択例２参照）が属する所定地域に対応する地域関係情報に基づいて、該地域関係情報を示す値が所定値以上である場合には、上記到着予測位置（又はその手前の位置）に対応するコンテンツを上記到着予測位置関係コンテンツとして選択する。
【００８３】
又は、コンテンツ選択部１１７４は、上記到着予測位置に対応する地域関係情報に基づいて、該地域関係情報に含まれる地域位置関係回数又は地域滞在時間、及びクーポン利用回数が所定値以上である場合にのみ、上記到着予測位置（又はその手前の位置）に対応するコンテンツを上記到着予測位置関係コンテンツとして選択する。
【００８４】
通信部１１１０は、コンテンツ選択部１１７４により選択された上記到着予測位置関係コンテンツを通信装置１２００に送信する。
【００８５】
次に、本実施形態におけるコンテンツ送信装置１１００及び通信装置１２００の動作について図１０を参照しながら説明する。
【００８６】
図１０に示すように、Ｓ２０１において、通信装置１２００は、当該通信装置１２００の現在位置を検出する。
【００８７】
Ｓ２０３において、通信装置１２００は、検出した通信装置１２００の現在位置をコンテンツ送信装置１１００に送信する。
【００８８】
Ｓ２０５において、コンテンツ送信装置１１００は、通信装置１２００が用いられてクーポンが施設で利用されたことを示すクーポン利用情報を受信した場合には、当該施設の位置（例えば、位置１−１）及び当該通信装置１２００（例えば、通信装置Ａ）に対応するクーポン利用回数の値（例えば、０）に１を加算する。
【００８９】
また、コンテンツ送信装置１１００は、通信装置１２００の現在位置の属する地域がその現在位置よりも所定時間前の前位置の属する地域とは異なる場合には、該現在位置（例えば、位置１−１）及び通信装置（例えば、通信装置Ａ）に対応する地域位置関係回数の値（例えば、５）に１を加算する。
【００９０】
さらに、コンテンツ送信装置１１００は、通信装置１２００の現在位置の属する地域がその現在位置よりも所定時間前の前位置の属する地域と同じである場合には、該現在位置（例えば、位置１−１）及び通信装置（例えば、通信装置Ａ）に対応する地域滞在時間（例えば、１０）に、当該所定時間を加算する。
【００９１】
Ｓ２０７において、コンテンツ送信装置１１００は、受信した通信装置１２００の現在位置と該現在位置よりも所定時間前の前位置とに基づいて、通信装置１２００の移動速度を算出する。
【００９２】
Ｓ２０９において、コンテンツ送信装置１１００は、通信装置１２００の現在位置及び該現在位置よりも所定時間前の前位置とに基づいて、通信装置１２００の進行方向前方の前方領域Ｒを算出する。
【００９３】
Ｓ２１１において、コンテンツ送信装置１１００は、算出した上記到着予測位置（上記選択例１参照）が属する所定地域に対応する地域関係情報に基づいて、該地域関係情報に含まれるいずれか１又は２以上の値が所定値以上である場合には、上記到着予測位置に対応するコンテンツを上記到着予測位置関係コンテンツとして選択する。
【００９４】
例えば、コンテンツ送信装置１１００は、上記到着予測位置に対応する地域関係情報に基づいて、該地域関係情報に含まれる地域位置関係回数の値が所定値（例えば、５回）以上である場合、又は地域滞在時間の値が所定値（例えば、５時間）以上である場合には、上記到着予測位置に対応するコンテンツを上記到着予測位置関係コンテンツとして選択する。
【００９５】
Ｓ２１３において、コンテンツ送信装置１１００は、上記現在位置の送信元の通信装置１２００に対して選択後のコンテンツを送信する。
【００９６】
Ｓ２１５において、通信装置１２００は、コンテンツ送信装置１１００により送信されたコンテンツを受信し、当該コンテンツを表示又は記憶する。
【００９７】
かかる本実施形態の特徴によれば、コンテンツ送信装置１１００は、上記地域位置関係回数の値が所定値以上、又は上記地域滞在時間の値が所定値以上であるか否か判定した後に、該当するコンテンツを通信装置１２００に送信する。これにより、コンテンツ送信装置１１００は、通信装置１２００の利用者が頻繁に行動する地域に関するコンテンツのみを通信装置１２００に送信することができるため、通信装置１２００の進行方向に応じて利用者にとってより有益なコンテンツを通信装置１２００に送信することができる。
【００９８】
なお、コンテンツ送信装置１１００は、上記到着予測位置に対応する地域関係情報に基づいて、該地域関係情報に含まれる地域位置関係回数が所定回数以上（例えば５回以上）又は地域滞在時間が所定時間以上（例えば５時間以上）であり、且つクーポン利用回数が所定回数以上（例えば５回以上）である場合には、上記到着予測位置に対応するコンテンツを上記到着予測位置関係コンテンツとして選択してもよい。
【００９９】
ここで、通信装置１２００の利用者は、頻繁に行動する地域（例えば、家、学校又は会社が存在する地域；以下、行動地域）がある。このため、通信装置１２００の利用者が通学路、通勤路等の頻繁に行動する行動地域がある場合に、コンテンツ送信装置１１００は、通信装置１２００の前方の当該行動地域内の位置に対応するコンテンツを通信装置１２００に送信しても、通信装置１２００の利用者は、行き慣れた当該行動地域に関するコンテンツであるため、当該コンテンツを利用しないことがある。
【０１００】
ここでは、コンテンツ送信装置１１００は、通信装置１２００の前方の上記行動地域内の位置に対応するコンテンツを通信装置１２００に「単に」送信するのではなく、図９に示すクーポン利用回数の値も参照し、当該クーポン利用回数の値が所定値以上である場合にのみ、当該コンテンツを通信装置１２００に送信する。
【０１０１】
このため、コンテンツ送信装置１１００は、通信装置１２００の利用者が行き慣れた行動地域であっても、クーポンの利用状況を考慮してコンテンツを通信装置１２００に送信するため、通信装置１２００の進行方向に応じて利用者にとってより有益なコンテンツを通信装置１２００に送信することができる。
【０１０２】
なお、コンテンツ送信装置１１００は、図９に示す位置に対応する地域関係情報に基づいて、該地域関係情報に含まれる地域位置関係回数の値が所定値未満（例えば、５回未満）又は地域滞在時間の値が所定値未満（例えば、５時間未満）であり、且つコンテンツが記憶されてから所定時間経過している場合には、当該位置に対応するコンテンツを削除してもよい。この場合には、コンテンツ送信装置１１００は、通信装置１２００の利用者が行く予定の無い位置に対応するコンテンツを削除することができるため、その分、新たなコンテンツを多く記憶することができる。
【０１０３】
［第３実施形態］
上記各実施形態又は上記各変更例におけるコンテンツ送信制御部の各部（移動速度算出部，前方領域算出部，地域関係情報算出部，コンテンツ選択部）は、コンテンツ送信装置３００，６００，１１００に備えられずに、通信装置１３００に備えられてもよい。
【０１０４】
具体的には、通信装置１３００は、操作部１３１０と、現在位置検出部１３２０と、通信制御部１３３０（移動速度算出部１３３１，前方領域算出部１３３２，地域関係情報算出部１３３３，コンテンツ選択部１３３４）と、通信部１３４０と、表示部１３５０と、取得済コンテンツ記憶部１３６０とを備えている。なお、通信装置１３００は、地域関係情報算出部１３３３を備えなくてもよい。
【０１０５】
コンテンツ送信装置１４００は、操作部１４１０と、通信部１４２０と、コンテンツ送信制御部１４３０（但し、移動速度算出部，前方領域算出部，地域関係情報算出部，コンテンツ選択部は備えられていない）と、コンテンツ記憶部１４４０とを備えている。
【０１０６】
なお、通信装置１３００及びコンテンツ送信装置１４００における各部の名称のうち、上記各実施形態及び各変更例における各部の名称と同一の名称については、上記各実施形態及び各変更例における部と同一の機能を有するため、ここでの詳細な説明は省略する。
【０１０７】
本実施形態における通信装置１３００は、通信装置１３００の現在位置と該現在位置に対して所定時間前の位置に基づいて、該通信装置１３００の移動速度、及び該通信装置１３００の進行方向前方の領域である前方領域を算出し、算出した前方領域に含まれる位置に対応するコンテンツのそれぞれに設定された有効期限、及び算出した移動速度に基づいて、該有効期限及び該移動速度に応じたコンテンツをコンテンツ送信装置１４００の中から選択（以下、選択機能）し、該コンテンツをコンテンツ送信装置１４００から受信する。
【０１０８】
また、通信装置１３００は、上記各実施形態又は上記各変更例におけるコンテンツ送信装置３００，６００，１１００が実行する上記選択機能以外の選択機能も実行することができる。
【０１０９】
なお、上記各実施形態及び上記各変更例におけるコンテンツは、コンテンツ送信装置に記憶されているが、これに限定されずに、コンテンツ送信装置以外のサーバ（図示せず）等に記憶されてもよい。また、記憶されているコンテンツは、逐次更新されてもよい。
【０１１０】
なお、上記各実施形態及び上記各変更例における現在位置検出部は、通信装置に備えられてるが、これに限定されずに、通信装置以外（コンテンツ送信装置など）に備えられてもよい。
【０１１１】
以上、本発明の一例を説明したが、具体例を例示したに過ぎず、特に本発明を限定するものではなく、各実施形態及び各変更例における具体的構成等は、適宜設計変更可能である。また、各実施形態及び各変更例の具体的構成のそれぞれは、組み合わせることが可能である。さらに、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１１２】
【図１】第１実施形態におけるコンテンツ送信システムの概略構成図である。
【図２】第１実施形態における通信装置及びコンテンツ送信装置の内部構成図である。
【図３】第１実施形態における位置とコンテンツとの内容を示す図である。
【図４】第１実施形態におけるコンテンツ送信システムの動作を示す図である。
【図５】変更例における移動速度と利用可能時間と距離との対応関係を示す図である。
【図６】変更例におけるコンテンツ送信システムの概略構成図である。
【図７】変更例における位置とコンテンツとの内容を示す図である。
【図８】第２実施形態におけるコンテンツ送信装置の内部構成図である。
【図９】第２実施形態における位置とコンテンツと地域関係情報との内容を示す図である。
【図１０】第２実施形態における通信装置及びコンテンツ送信装置の動作を示す図である。
【図１１】第３実施形態における通信装置及びコンテンツ送信装置の動作を示す図である。
【符号の説明】
【０１１３】
１…コンテンツ送信システム、２…コンテンツ送信システム、１００…移動体、２００…通信装置、２０１…操作部、２０３…現在位置検出部、２０５…通信部、２０７…表示部、２０９…取得済コンテンツ記憶部、２１０…通信制御部、３００…コンテンツ送信装置、３１０…通信部、３３０…コンテンツ記憶部、３５０…操作部、３７０…コンテンツ送信制御部、３７１…移動速度算出部、３７３…前方領域算出部、３７５…コンテンツ選択部、４００…基地局、５００…ネットワーク、６００…コンテンツ送信装置、７００…基地局、８００…ネットワーク、９００…移動体、１０００…通信装置、１１００…コンテンツ送信装置、１１１０…通信部、１１３０…コンテンツ記憶部、１１５０…操作部、１１７０…コンテンツ送信制御部、１１７１…移動速度算出部、１１７２…前方領域算出部、１１７３…地域関係情報算出部、１１７４…コンテンツ選択部、１２００…通信装置、１３００…通信装置、１３１０…操作部、１３２０…現在位置検出部、１３３０…通信制御部、１３４０…通信部、１３５０…表示部、１３６０…取得済コンテンツ記憶部、
【図１】
0004481905.tif 000002
【図２】
0004481905.tif 000003
【図３】
0004481905.tif 000004
【図４】
0004481905.tif 000005
【図５】
0004481905.tif 000006
【図６】
0004481905.tif 000007
【図７】
0004481905.tif 000008
【図８】
0004481905.tif 000009
【図９】
0004481905.tif 000010
【図１０】
0004481905.tif 000011
【図１１】
0004481905.tif 000012